(57)【要約】【課題】逆接防止回路を用いたシステム全体のコストを低減しつつ、確実に逆接続防止を図ることができる逆接続防止回路を提供する。【解決手段】逆接続の際に、負極入力端子２０ｂからオン用寄生ダイオード２６ａ、オン用逆起ノイズ除去用フライホイールダイオード２４、接点オフ用コイル２２ｃ、およびオフ用逆起ノイズ除去用フライホイールダイオード２５を経由して正極入力端子２０ａに電流が流れるように、ラッチリレー２２、第２逆接続防止用ダイオード２３、オン用ＭＯＳＦＥＴ２６、およびオフ用ＭＯＳＦＥＴ２７を接続する。これにより、バッテリ１０が逆接続防止回路２０に正常に接続された際に接点オフ用コイル２２ｃに流れる電流と同じ向きの電流が接点オフ用コイル２２ｃに流れるので、確実にラッチ部２２ａの通電を遮断することができる。【選択図】図１
2011135633.tif 000002
【特許請求の範囲】
【請求項１】
ラッチリレー（２２）を用いた、電力消費なし、あるいは、低消費電力で継続して通電できる逆接続防止回路において、
前記ラッチリレー（２２）に供給される電源（１０）が、正負逆接続された場合に、ダイオード（２１、２３、２４、２５、２６ａ）で電流方向の選択を行い、前記ラッチリレー（２２）の内部のコイル（２２ｂ、２２ｃ）に対して正しい方向の電流を流すことにより、前記ラッチリレー（２２）をオフ側に作動させることを特徴とする逆接続防止回路。
【請求項２】
負荷（３０、３１）に電源供給するための前記電源（１０）が接続される正極入力端子（２０ａ）および負極入力端子（２０ｂ）と、
前記正極入力端子（２０ａ）から電流が流れるように前記正極入力端子（２０ａ）に接続された第１逆接続防止用ダイオード（２１）と、
一方が前記正極入力端子（２０ａ）に接続されると共に他方が前記負荷（３０、３１）に接続され、接点オンにより通電し、接点オフにより通電を遮断するラッチ部（２２ａ）と、前記逆接続防止用ダイオード（２１）に接続される接点オン用コイル（２２ｂ）および接点オフ用コイル（２２ｃ）と、を有する前記ラッチリレー（２２）と、
前記第１逆接続防止用ダイオード（２１）とは逆方向に電流を流すように前記接点オン用コイル（２２ｂ）に並列接続されたオン用逆起ノイズ除去用フライホイールダイオード（２４）と、
前記正極入力端子（２０ａ）側に電流が流れるように前記正極入力端子（２０ａ）と前記接点オフ用コイル（２２ｃ）との間に接続されたオフ用逆起ノイズ除去用フライホイールダイオード（２５）と、
前記接点オフ用コイル（２２ｃ）から電流が流れるように前記接点オフ用コイル（２２ｃ）に接続された第２逆接続防止用ダイオード（２３）と、
前記接点オン用コイル（２２ｂ）と前記負極入力端子（２０ｂ）との間に接続され、前記接点オン用コイル（２２ｂ）側に電流を流すオン用寄生ダイオード（２６ａ）を有し、前記接点オン用コイル（２２ｂ）に電流を流すことで前記ラッチ部（２２ａ）を通電させるオン用ＭＯＳＦＥＴ（２６）と、
前記第２逆接続防止用ダイオード（２３）と前記負極入力端子（２０ｂ）との間に接続され、前記第２逆接続防止用ダイオード（２３）側に電流を流すオフ用寄生ダイオード（２７ａ）を有し、前記接点オフ用コイル（２２ｃ）に電流を流すことで前記ラッチ部（２２ａ）の通電を遮断するオフ用ＭＯＳＦＥＴ（２７）と、を備え、
前記逆接続の際に、前記負極入力端子（２０ｂ）から前記オン用寄生ダイオード（２６ａ）、前記オン用逆起ノイズ除去用フライホイールダイオード（２４）、前記接点オフ用コイル（２２ｃ）、および前記オフ用逆起ノイズ除去用フライホイールダイオード（２５）を経由して前記正極入力端子（２０ａ）に電流を流すことにより、前記ラッチ部（２２ａ）の通電を遮断することを特徴とする請求項１に記載の逆接続防止回路。
【発明の詳細な説明】
【技術分野】
【０００１】
本発明は、負荷に対する電源の逆接続を防止する逆接続防止回路に関する。
【背景技術】
【０００２】
従来より、負荷側回路における逆接続対策を施した回路が知られている。図５は、従来の逆接続防止回路の回路図である。この図に示されるように、半導体構造に基づく寄生ダイオード５０ａを備えたＭＯＳＦＥＴ５０にモータ（Ｍ）やソレノイド等の負荷５１が接続された個別回路が複数構成されている。各負荷５１にはノイズ除去用のフライホイールダイオード５２が並列にそれぞれ接続されている。また、各個別回路には、ＭＯＳＦＥＴ５０側に電流が流れるようにＭＯＳＦＥＴ５０のハイサイド側に逆接続電流防止ダイオード５３が接続されている。
【０００３】
このような構成の個別回路では、個別回路に電源５４が逆接続されてノイズ除去用のフライホイールダイオード５２および寄生ダイオード５０ａを介して流れようとするショート電流５５が逆接続電流防止ダイオード５３により止められる。このため、個別回路に電源５４が逆接続されたとしても、ショート電流５５が流れないようになっている。
【０００４】
また、上記では負荷５１のハイサイド側に逆接続電流防止ダイオード５３を接続していたが、１つのダイオードで逆接続対策を施した回路が、例えば特許文献１で提案されている。具体的に、特許文献１では、バッテリと電気負荷との間にラッチ開閉型電磁リレーを設け、このラッチ開閉型電磁リレーをリセット（接点オフ）するための励磁コイルを介してバッテリへと電流が流れるように、当該励磁コイルにダイオードを接続したものが提案されている。
【先行技術文献】
【特許文献】
【０００５】
【特許文献１】特開２００７−１４１６５号公報
【発明の概要】
【発明が解決しようとする課題】
【０００６】
しかしながら、個別回路ごとに逆接続電流防止を図る場合、負荷５１ごとに逆接続電流防止ダイオード５３が必要となる。また、負荷５１の電流容量に見合った高価な逆接続電流防止ダイオード５３を選定する必要がある。このため、システム全体としてコストアップを招くという問題があった。
【０００７】
一方、特許文献１では、バッテリ側へと電流が流れるようにリセット（接点オフ）用の励磁コイルにダイオードが接続されているので、ラッチ開閉型電磁リレーに対してバッテリが逆接続された際には当該励磁コイルに流れる通常の電流の向きとは逆方向にコイル電流が流れてしまう。このため、ラッチ開閉型電磁リレーとして極性があるものを用いた場合、リセット（接点オフ）用の励磁コイルには通常の電流の向きとは逆方向にコイル電流が流れるため、ラッチ開閉型電磁リレーが正常にリセットされない可能性がある。
【０００８】
また、特許文献１では省略されているが、実使用回路においては、リレーコイルの逆起対策として、コイル両端にフライホイールダイオードを入れる場合がある。このような回路において、特許文献１に記載の技術を流用すると、２つのダイオードを介してショート電流が発生し、リセット用コイルに通電されず、システムとして正常にリセットされないばかりか、ショート電流により回路の破壊へ至る。
【０００９】
本発明は上記点に鑑み、逆接防止回路を用いたシステム全体のコストを低減しつつ、確実に逆接続防止を図ることができる逆接続防止回路を提供することを目的とする。
【課題を解決するための手段】
【００１０】
上記目的を達成するため、請求項１に記載の発明では、ラッチリレー（２２）を用いた、電力消費なし、あるいは、低消費電力で継続して通電できる逆接続防止回路において、ラッチリレー（２２）に供給される電源（１０）が、正負逆接続された場合に、ダイオード（２１、２３、２４、２５、２６ａ）で電流方向の選択を行い、ラッチリレー（２２）の内部のコイル（２２ｂ、２２ｃ）に対して正しい方向の電流を流すことにより、ラッチリレー（２２）をオフ側に作動させることを特徴とする。
【００１１】
これにより、ラッチリレー（２２）に電源（１０）が逆接続されたときには、ラッチリレー（２２）に正しい方向に電流が流れるので、ラッチリレー（２２）を確実にオフすることができる。また、電源（１０）の逆接対策をラッチリレー（２２）のみで行うことができる。したがって、逆接防止回路を用いたシステム全体のコストを低減しつつ、確実に逆接続防止を図ることができる。
【００１２】
具体的には、請求項２に記載の発明のように、負荷（３０、３１）に電源供給するための電源（１０）が接続される正極入力端子（２０ａ）および負極入力端子（２０ｂ）と、正極入力端子（２０ａ）から電流が流れるように前記正極入力端子（２０ａ）に接続された第１逆接続防止用ダイオード（２１）を備えている。また、一方が前記正極入力端子（２０ａ）に接続されると共に他方が前記負荷（３０、３１）に接続され、接点オンにより通電し、接点オフにより通電を遮断するラッチ部（２２ａ）と、前記第１逆接続防止用ダイオード（２１）に接続される接点オン用コイル（２２ｂ）および接点オフ用コイル（２２ｃ）と、を有するラッチリレー（２２）を備えている。
【００１３】
さらに、第１逆接続防止用ダイオード（２１）とは逆方向に電流を流すように接点オン用コイル（２２ｂ）に並列接続されたオン用逆起ノイズ除去用フライホイールダイオード（２４）と、正極入力端子（２０ａ）側に電流が流れるように正極入力端子（２０ａ）と接点オフ用コイル（２２ｃ）との間に接続されたオフ用逆起ノイズ除去用フライホイールダイオード（２５）と、接点オフ用コイル（２２ｃ）から電流が流れるように接点オフ用コイル（２２ｃ）に接続された第２逆接続防止用ダイオード（２３）と、を備えている。
【００１４】
また、接点オン用コイル（２２ｂ）と負極入力端子（２０ｂ）との間に接続され、接点オン用コイル（２２ｂ）側に電流を流すオン用寄生ダイオード（２６ａ）を有し、接点オン用コイル（２２ｂ）に電流を流すことでラッチ部（２２ａ）を通電させるオン用ＭＯＳＦＥＴ（２６）と、第２逆接続防止用ダイオード（２３）と負極入力端子（２０ｂ）との間に接続され、第２逆接続防止用ダイオード（２３）側に電流を流すオフ用寄生ダイオード（２７ａ）を有し、接点オフ用コイル（２２ｃ）に電流を流すことでラッチ部（２２ａ）の通電を遮断するオフ用ＭＯＳＦＥＴ（２７）と、を備えている。
【００１５】
そして、逆接続の際に、負極入力端子（２０ｂ）からオン用ＭＯＳＦＥＴ（２６）のオン用寄生ダイオード（２６ａ）、オン用逆起ノイズ除去用フライホイールダイオード（２４）、接点オフ用コイル（２２ｃ）、およびオフ用逆起ノイズ除去用フライホイールダイオード（２５）を経由して正極入力端子（２０ａ）に電流を流すことにより、ラッチ部（２２ａ）の通電を遮断することを特徴としている。
【００１６】
これによると、正極入力端子（２０ａ）および負極入力端子（２０ｂ）に電源（１０）が逆接続されたときには、接点オフ用コイル（２２ｃ）に電流が流れるので、自動的にラッチ部（２２ａ）の通電を遮断することができる。すなわち、電源（１０）の逆接対策を負荷（３０、３１）のハイサイド側で一元管理することができるので、負荷（３０、３１）ごとに逆接防止用のダイオードを設ける必要がない。したがって、逆接続防止回路を用いたシステム全体のコストを低減することができる。
【００１７】
また、電源（１０）の逆接続時には、オフ用ＭＯＳＦＥＴ（２７）がオンしたときに流れる電流の向きと同じ向きの電流が接点オフ用コイル（２２ｃ）に流れるので、接点オフ用コイル（２２ｃ）によりラッチ部（２２ａ）を正常に動作させて通電を遮断することができる。したがって、電源（１０）の逆接続時に流れる電流を確実に遮断することができ、確実に負荷（３０、３１）の保護を図ることができる。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】本発明の一実施形態に係る逆接続防止回路を含んだシステム全体の回路図である。
【図２】ラッチリレーの極性付き回路図である。
【図３】逆接防止回路の正常作動時における電流の流れを示した図である。
【図４】逆接続防止回路にバッテリが逆接続されたときの電流の流れを示した図である。
【図５】従来において、逆接続対策を施した回路図である。
【発明を実施するための形態】
【００２０】
以下、本発明の実施形態について図に基づいて説明する。図１は、本発明の一実施形態に係る逆接続防止回路を含んだシステム全体の回路図である。この図に示されるように、システムは、バッテリ１０と、逆接続防止回路２０と、負荷側回路３０とにより構成されている。
【００２１】
バッテリ１０は、負荷側回路３０に電源を供給するための電圧源である。バッテリ１０としては、例えば車載用のものや、車載用に限らず電源供給源となるものが採用される。
【００２２】
逆接続防止回路２０は、バッテリ１０から負荷側回路３０に電源を供給するに際し、負荷側回路３０に含まれる負荷３１に対してバッテリ１０が逆接続された際に負荷３１を保護するための回路である。この逆接続防止回路２０は、電力消費なし、あるいは、低消費電力で継続して通電できる回路である。
【００２３】
このような逆接続防止回路２０は、バッテリ１０が接続される正極入力端子２０ａおよび負極入力端子２０ｂと、負荷側回路３０が接続される正極出力端子２０ｃおよび負極出力端子２０ｄを備えている。図１に示されるように、正極入力端子２０ａにバッテリ１０の正極が接続されることが正常な接続形態である。逆に、正極入力端子２０ａにバッテリ１０の負極が接続されることが逆接続の形態である。
【００２４】
なお、負極入力端子２０ｂと負極出力端子２０ｄとは電気的に接続されており、バッテリ１０が正常に正極入力端子２０ａおよび負極入力端子２０ｂに接続されると、負極入力端子２０ｂおよび負極出力端子２０ｄはグランドに接続されることとなる。
【００２５】
そして、逆接続防止回路２０は、第１逆接続防止用ダイオード２１、ラッチリレー２２、第２逆接続防止用ダイオード２３、オン用逆起ノイズ除去用フライホイールダイオード２４、オフ用逆起ノイズ除去用フライホイールダイオード２５、オン用ＭＯＳＦＥＴ２６、およびオフ用ＭＯＳＦＥＴ２７を備えて構成されている。
【００２６】
第１逆接続防止用ダイオード２１は、正極入力端子２０ａから逆接続防止回路２０内に電流が流れるように正極入力端子２０ａに接続されたダイオードである。
【００２７】
ラッチリレー２２は正極入力端子２０ａと正極出力端子２０ｃとの間を導通するかまたは導通を遮断するいわゆるメカリレーである。ラッチリレー２２は、ラッチ部２２ａ、接点オン用コイル２２ｂ、および接点オフ用コイル２２ｃを備えて構成されている。
【００２８】
ラッチ部２２ａは、一方が正極入力端子２０ａに接続されると共に他方が正極出力端子２０ｃに接続され、接点オンにより通電し、接点オフにより通電を遮断する経路切替部である。したがって、ラッチ部２２ａの接点オンによりバッテリ１０から負荷側回路３０に電源が供給され、ラッチ部２２ａの接点オフにより負荷側回路３０への電源供給が遮断される。
【００２９】
接点オン用コイル２２ｂおよび接点オフ用コイル２２ｃは、これらに流れる電流により発生する磁界の作用によりラッチ部２２ａを接点オンまたは接点オフさせるための電磁コイルである。これら接点オン用コイル２２ｂおよび接点オフ用コイル２２ｃは、第１逆接続防止用ダイオード２１のカソードにそれぞれ接続されている。
【００３０】
このような構成のラッチリレー２２には極性があり、ラッチリレー２２はこの極性に従ってバッテリ１０に接続される。図２は、ラッチリレー２２の極性付き回路を示した模式図である。図２では、上述の接点オンをセット、接点オフをリセットとしている。この図に示されるように、接点オン用コイル２２ｂや接点オフ用コイル２２ｃについても極性（＋、−）があり、この極性の向きに従って電流が流れることでラッチ部２２ａが正常に接点オン（セット）または接点オフ（リセット）する。
【００３１】
第２逆接続防止用ダイオード２３は、接点オフ用コイル２２ｃ側から電流が流れるように接点オフ用コイル２２ｃに接続されたダイオードである。
【００３２】
オン用逆起ノイズ除去用フライホイールダイオード２４は、接点オン用コイル２２ｂに電流が流れる際のノイズ除去用のダイオードであり、第１逆接続防止用ダイオード２１とは逆方向に電流を流すように接点オン用コイル２２ｂに並列接続されている。
【００３３】
オフ用逆起ノイズ除去用フライホイールダイオード２５は、接点オフ用コイル２２ｃに電流が流れる際のノイズ除去用のダイオードである。このオフ用逆起ノイズ除去用フライホイールダイオード２５は、正極入力端子２０ａ側に電流が流れるように正極入力端子２０ａと接点オフ用コイル２２ｃとの間に接続されている。つまり、オフ用逆起ノイズ除去用フライホイールダイオード２５のアノードが接点オフ用コイル２２ｃに接続され、カソードが正極入力端子２０ａに接続されている。
【００３４】
オン用ＭＯＳＦＥＴ２６は、接点オン用コイル２２ｂに電流を流すことでラッチ部２２ａを通電させるためのスイッチング素子である。このため、オン用ＭＯＳＦＥＴ２６は接点オン用コイル２２ｂと負極入力端子２０ｂとの間に接続されている。
【００３５】
オン用ＭＯＳＦＥＴ２６は、当該オン用ＭＯＳＦＥＴ２６の半導体構造に基づくオン用寄生ダイオード２６ａを有している。オン用寄生ダイオード２６ａは、接点オン用コイル２２ｂ側に電流を流すように、オン用ＭＯＳＦＥＴ２６に設けられている。
【００３６】
オフ用ＭＯＳＦＥＴ２７は、接点オフ用コイル２２ｃに電流を流すことでラッチ部２２ａの通電を遮断するためのスイッチング素子である。このため、オフ用ＭＯＳＦＥＴ２７は、第２逆接続防止用ダイオード２３と負極入力端子２０ｂとの間に接続されている。
【００３７】
また、オフ用ＭＯＳＦＥＴ２７は、当該オフ用ＭＯＳＦＥＴ２７の半導体構造に基づくオフ用寄生ダイオード２７ａを有している。オフ用寄生ダイオード２７ａは、第２逆接続防止用ダイオード２３側に電流を流すように、オフ用ＭＯＳＦＥＴ２７に設けられている。
【００３８】
そして、上記のオン用ＭＯＳＦＥＴ２６およびオフ用ＭＯＳＦＥＴ２７が図示しないコントローラにより駆動され、ラッチ部２２ａの通電または通電が遮断されることで、負荷側回路３０への電源供給が制御される。
【００３９】
負荷側回路３０は、バッテリ１０から供給された電源に基づいて作動する負荷３１が設けられた回路である。負荷３１としては、モータ（Ｍ）やブザー（ＢＺ）、ソレノイド、ヒータ、ランプ等が採用される。本実施形態では、負荷３１として、モータ、ブザー、ソレノイドが採用されている。
【００４０】
各負荷３１には、各負荷３１を駆動するためのＭＯＳＦＥＴ３２がそれぞれ接続されている。各ＭＯＳＦＥＴ３２は半導体構造に基づく寄生ダイオード３２ａを内蔵しており、負荷３１の動作に応じて図示しないコントローラにより駆動される。また、各負荷３１にはノイズ除去用のダイオード３３がそれぞれ並列接続されている。
【００４１】
そして、ＭＯＳＦＥＴ３２と負荷３１およびダイオード３３により構成される複数の個別回路が逆接続防止回路２０の正極出力端子２０ｃと負極出力端子２０ｄとにそれぞれ並列に接続されている。
【００４２】
以上が、逆接続防止回路２０および当該逆接続防止回路２０を含んだシステム全体の構成である。
【００４３】
次に、逆接続防止回路２０の作動について、図３を参照して説明する。図３は、バッテリ１０が逆接続防止回路２０に正常に接続されたときの動作電流の流れを示した図である。
【００４４】
まず、バッテリ１０は逆接続防止回路２０の正極入力端子２０ａおよび負極入力端子２０ｂに正常に接続されている。また、ラッチ部２２ａは接点オフつまり通電が遮断されているとする。この状態で図示しないコントローラによりオン用ＭＯＳＦＥＴ２６がオンされると、図３（ａ）に示されるように、バッテリ１０から第１逆接続防止用ダイオード２１、接点オン用コイル２２ｂ、およびオン用ＭＯＳＦＥＴ２６を介する経路で電流が流れることにより、ラッチ部２２ａが接点オンして通電する。これにより、逆接続防止回路２０の正極入力端子２０ａと正極出力端子２０ｃとが接続されるので、バッテリ１０の電源が負荷側回路３０に供給される。
【００４５】
そして、図示しないコントローラにより所望の負荷３１に係るＭＯＳＦＥＴ３２が駆動されることで当該負荷３１が動作する。
【００４６】
一方、ラッチ部２２ａが接点オンつまり通電した状態から図示しないコントローラによりオフ用ＭＯＳＦＥＴ２７がオンされると、図３（ｂ）に示されるように、バッテリ１０から第１逆接続防止用ダイオード２１、接点オフ用コイル２２ｃ、第２逆接続防止用ダイオード２３、およびオフ用ＭＯＳＦＥＴ２７を介する経路で電流が流れることにより、ラッチ部２２ａが接点オフして通電が遮断する。
【００４７】
これにより、逆接続防止回路２０の正極入力端子２０ａと正極出力端子２０ｃとが遮断されるので、負荷側回路３０に対するバッテリ１０の電源供給が停止する。このため、各負荷３１は動作しない。
【００４８】
続いて、バッテリ１０が正極入力端子２０ａおよび負極入力端子２０ｂに対して正負逆接続された場合の作動について、図４を参照して説明する。図４は、バッテリ１０が逆接続防止回路２０に逆接続されたときの逆接続電流の流れを示した図である。
【００４９】
図４に示されるように、バッテリ１０の正極が逆接続防止回路２０の負極入力端子２０ｂに接続され、バッテリ１０の負極が逆接続防止回路２０の正極入力端子２０ａに接続された逆接続状態となる。これにより、負極入力端子２０ｂが正極入力端子２０ａよりも高電位となるため、バッテリ１０から負極入力端子２０ｂを介して接点オフ用コイル駆動電流４０（以下、駆動電流４０という）が流れる。
【００５０】
また、駆動電流４０の一部であるショート電流４１は、負極出力端子２０ｄから各個別回路のダイオード３３および寄生ダイオード３２ａを介して正極出力端子２０ｃに流れ込む。
【００５１】
一方、駆動電流４０は、第２逆接続防止用ダイオード２３の存在により、オン用ＭＯＳＦＥＴ２６のオン用寄生ダイオード２６ａおよびオン用逆起ノイズ除去用フライホイールダイオード２４に流れる。
【００５２】
すなわち、第２逆接続防止用ダイオード２３は、オフ用寄生ダイオード２７ａに流れる逆接続電流がバッテリ１０に戻ることによりショートしてしまうことを防止する役割を果たすと共に、駆動電流４０が確実に接点オフ用コイル２２ｃに通電されるための役割も兼ねている。
【００５３】
そして、当該駆動電流４０は、第１逆接続防止用ダイオード２１およびオフ用寄生ダイオード２７ａの存在により、接点オフ用コイル２２ｃ、オフ用逆起ノイズ除去用フライホイールダイオード２５、および正極入力端子２０ａを介してバッテリ１０に戻る。
【００５４】
すなわち、逆接続防止回路２０は、バッテリ１０の逆接続の際に、負極入力端子２０ｂからオン用寄生ダイオード２６ａ、オン用逆起ノイズ除去用フライホイールダイオード２４、接点オフ用コイル２２ｃ、およびオフ用逆起ノイズ除去用フライホイールダイオード２５を経由して正極入力端子２０ａに電流を流すことにより、自動的にラッチ部２２ａの通電を遮断させている。
【００５５】
このように、逆接続防止回路２０を含んだシステムでは、負荷側回路３０のハイサイド側が逆接続防止回路２０により一元管理されるので、バッテリ１０の逆接続時には全ての負荷３１が動作しないようにすることが可能となる。
【００５６】
また、第１逆接続防止用ダイオード２１が駆動電流４０を接点オフ用コイル２２ｃに流すように駆動電流４０の経路を指定する役割を果たしている。すなわち、ダイオード２１、２３、２４、２５、２６ａで電流方向の選択を行い、ラッチリレー２２の内部の各コイル２２ｂ、２２ｃ（特に接点オフ用コイル２２ｃ）に対して正しい方向の電流を流すことにより、ラッチリレー２２をオフ側に作動させている。このため、接点オフ用コイル２２ｃには通常動作（つまり、オフ用ＭＯＳＦＥＴ２７をオンする動作）で流れる電流と同じ向きの駆動電流４０が流れるので、正常にラッチ部２２ａの導通を遮断できる。
【００５７】
そして、ラッチ部２２ａの導通が遮断されると、負荷側回路３０からバッテリ１０に流れるショート電流４１はラッチ部２２ａにより遮断されるので、負荷側回路３０にショート電流４１は流れなくなる。このため、ショート電流４１による負荷３１の故障を回避でき、確実に負荷３１の保護を図ることができる。
【００５８】
以上説明したように、本実施形態では、バッテリ１０の逆接続時に、当該バッテリ１０から流れる駆動電流４０が、オン用ＭＯＳＦＥＴ２６、オン用逆起ノイズ除去用フライホイールダイオード２４、接点オフ用コイル２２ｃ、オフ用逆起ノイズ除去用フライホイールダイオード２５を介してバッテリ１０に戻るように接続経路が構成されていることが特徴となっている。
【００５９】
これにより、接点オフ用コイル２２ｃに駆動電流４０が流れて自動的にラッチ部２２ａの通電が遮断されるので、負荷側回路３０全体に対するバッテリ１０の電源供給を停止することができる。したがって、負荷３１ごとに逆接防止用のダイオードを設ける必要がないので、逆接続防止回路２０を用いたシステム全体のコストを低減することができる。
【００６０】
また、バッテリ１０の逆接続時に駆動電流４０を上記経路で流しているので、バッテリ１０が正常に逆接続防止回路２０に接続されたときに接点オフ用コイル２２ｃに流れる電流の向きと同じ向きに駆動電流４０を流すことができる。このため、バッテリ１０の逆接続時にラッチリレー２２を正常に動作させてラッチ部２２ａの通電を遮断することができる。このように、正常にラッチリレー２２を動作させることができるので、負荷側回路３０に流れるショート電流４１を確実に遮断することができ、ひいては確実に逆接続防止を図ることができる。
【００６１】
なお、本実施形態の記載と特許請求の範囲の記載との対応関係については、バッテリ１０が特許請求の範囲の「電源」に対応し、上記の負荷側回路３０や負荷３１が特許請求の範囲の「負荷」に相当する。
【００６２】
（他の実施形態）
上記一実施形態では、図１に示されるように負荷側回路３０に複数の負荷３１が含まれたシステムが示されているが、負荷３１は１つでも良い。また、逆接続防止回路２０の正極出力端子２０ｃおよび負極出力端子２０ｄに負荷３１が直接接続されていても良い。
【符号の説明】
【００６３】
１０    バッテリ
２０    逆接続防止回路
２０ａ  正極入力端子
２０ｂ  負極入力端子
２１    第１逆接続防止用ダイオード
２２    ラッチリレー
２２ａ  ラッチ部
２２ｂ  接点オン用コイル
２２ｃ  接点オフ用コイル
２３    第２逆接続防止用ダイオード
２４    オン用逆起ノイズ除去用フライホイールダイオード
２５    オフ用逆起ノイズ除去用フライホイールダイオード
２６    オン用ＭＯＳＦＥＴ
２６ａ  オン用寄生ダイオード
２７    オフ用ＭＯＳＦＥＴ
２７ａ  オフ用寄生ダイオード
３０    負荷側回路
３１    負荷
【図１】
2011135633.tif 000003
【図２】
2011135633.tif 000004
【図３】
2011135633.tif 000005
【図４】
2011135633.tif 000006
【図５】
2011135633.tif 000007